【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
特定表示結果が導出されたことに応じて有利状態に制御可能な状態制御手段と、
背景演出と、前記特定表示結果の導出を促す促進演出とを含む複数種類の演出を実行可能な演出制御手段とを備え、
前記演出制御手段は、前記背景演出と前記促進演出とを同時に実行するときに、
前記促進演出の表示が前記背景演出の表示の一部に重なるように前記促進演出および前記背景演出を実行し、
前記背景演出と前記促進演出とが同時に実行されないときに比べて前記背景演出の明度が低くなるように制御する、スロットマシン。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
本発明は、促進演出を邪魔することなく、背景演出を実行できるスロットマシンを提供する。
【手続補正４】
【補正対象書類名】明細書
【補正対象項目名】０００６
【補正方法】変更
【補正の内容】
【０００６】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（スロットマシン１等）において、
特定表示結果が導出されたことに応じて有利状態に制御可能な状態制御手段と（たとえば、メイン制御部４１）、
背景演出と、前記特定表示結果の導出を促す促進演出とを含む複数種類の演出を実行可能な演出制御手段（たとえば、サブ制御部９１）とを備え、
前記演出制御手段は、前記背景演出と前記促進演出とを同時に実行するときに、
前記促進演出の表示が前記背景演出の表示の一部に重なるように前記促進演出および前記背景演出を実行し、
前記背景演出と前記促進演出とが同時に実行されないときに比べて前記背景演出の明度が低くなるように制御する（たとえば、図１５（ｂ）に示すような「白７をねらえ！」の文字画像を目立たせるために背景演出の明度を低く設定する制御）。
【手続補正５】
【補正対象書類名】明細書
【補正対象項目名】０００７
【補正方法】変更
【補正の内容】
【０００７】
このような構成によれば、促進演出を邪魔することなく、背景演出を実行できる。また、促進演出と背景演出との一体感を出すことができる。
【手続補正６】
【補正対象書類名】明細書
【補正対象項目名】０００８
【補正方法】変更
【補正の内容】
【０００８】
（２）  上記（１）に記載のスロットマシンにおいて、
前記演出制御手段は、前記背景演出を実行する背景演出実行手段を備え、
前記背景演出実行手段は、前記促進演出と同時に前記背景演出を実行するときは、当該背景演出の明度を低くする（たとえば、変形例における［背景演出と報知演出とが同時に実行される場合における制御の変形例について］の欄参照）。
【手続補正７】
【補正対象書類名】明細書
【補正対象項目名】０００９
【補正方法】変更
【補正の内容】
【０００９】
このような構成によれば、促進演出を邪魔することなく、背景演出を実行できる。また、促進演出と背景演出との一体感を出すことができる。
【手続補正８】
【補正対象書類名】明細書
【補正対象項目名】００１０
【補正方法】変更
【補正の内容】
【００１０】
（３）  上記（１）に記載のスロットマシンにおいて、
前記演出制御手段は、
前記背景演出を実行する背景演出実行手段と、
前記促進演出を実行する促進演出実行手段とを備え、
前記背景演出実行手段は、前記促進演出と同時に前記背景演出を実行するときに、当該背景演出の明度を変化させず（たとえば、図１６の背景画像表示レイヤ５１ｃの明度を変化させないこと）、
前記促進演出実行手段は、前記背景演出と同時に前記促進演出を実行するときに、当該促進演出の表示（たとえば、促進画像表示レイヤ）を当該背景演出の表示に重ねることで、前記背景演出と前記促進演出とが同時に実行されないときに比べて前記背景演出の明度が低くなるようする。
【手続補正９】
【補正対象書類名】明細書
【補正対象項目名】００１１
【補正方法】変更
【補正の内容】
【００１１】
このような構成によれば、促進演出を邪魔することなく、背景演出を実行できる。また、促進演出と背景演出との一体感を出すことができる。
【手続補正１０】
【補正対象書類名】明細書
【補正対象項目名】００１２
【補正方法】変更
【補正の内容】
【００１２】
（４）  上記（１）に記載のスロットマシンにおいて、
前記演出制御手段は、前記背景演出と前記促進演出とを同時に実行するときに、当該背景演出と当該促進演出とを重ねて合成した合成演出を実行する（たとえば、変形例における［背景演出と報知演出とが同時に実行される場合における制御の変形例について］の欄参照）。
【手続補正１１】
【補正対象書類名】明細書
【補正対象項目名】００１３
【補正方法】変更
【補正の内容】
【００１３】
このような構成によれば、促進演出を邪魔することなく、背景演出を実行できる。また、促進演出と背景演出との一体感を出すことができる。
【手続補正１２】
【補正対象書類名】明細書
【補正対象項目名】００１４
【補正方法】変更
【補正の内容】
【００１４】
（５）  上記（１）〜（４）に記載のスロットマシンにおいて、
前記促進演出と前記背景演出とが同時に実行されるときにおいて、
前記促進演出の表示が透過表示されることで、当該促進演出の表示と重なる前記背景演出の表示が視認可能となる（たとえば、図１５（ｂ）に示すように、促進演出である文字画像は透過表示され、文字画像と重なる背景画像が視認可能となる）。
【手続補正１３】
【補正対象書類名】明細書
【補正対象項目名】００１５
【補正方法】変更
【補正の内容】
【００１５】
このような構成によれば、促進演出を邪魔することなく、背景演出を実行できる。また、促進演出と背景演出との一体感を出すことができる。
【手続補正１４】
【補正対象書類名】明細書
【補正対象項目名】００１６
【補正方法】変更
【補正の内容】
【００１６】
（６）  上記（１）〜（５）に記載のスロットマシンにおいて、
前記促進演出の一部は、前記背景演出の一部を構成する（たとえば、図１５（ｂ）に示すように、「白７」という文字画像が液晶表示器５１の中央に位置する惑星に表示されること）。
【手続補正１５】
【補正対象書類名】明細書
【補正対象項目名】００１７
【補正方法】変更
【補正の内容】
【００１７】
このような構成によれば、促進演出を邪魔することなく、背景演出を実行できる。また、促進演出と背景演出との一体感を出すことができる。
【手続補正１６】
【補正対象書類名】明細書
【補正対象項目名】００１８
【補正方法】変更
【補正の内容】
【００１８】
（７）  上記（１）〜（６）に記載のスロットマシンにおいて、
前記促進演出は、前記可変表示部の変動表示が停止され表示結果が導出された後に終了し、
前記促進演出と前記背景演出とが同時に実行されるときにおいて、前記可変表示部の変動表示が停止され表示結果が導出された後に、当該背景演出が前記特定表示結果が導出されたことに対応する背景演出に切替わる（たとえば、図１５（ｃ）に示すように、ボーナス状態への移行契機となる、表示結果が導出表示されたことに対応して、背景演出の演出態様が複数の惑星が宇宙を漂う様子を示す背景画像から、ブラックホールが発生した様子を示す背景画像に切替わる）。